(57)【要約】【課題】一度にＦＭ放送帯域内の全ＲＤＳ局のＲＤＳデータを記憶更新しようとすると、この記憶更新動作によって、例えばＴＭＣデータを受信する時間が大幅に削られてしまう。【解決手段】受信可能なＦＭ放送帯域内の全ＲＤＳ局から到来する、ＲＤＳデータを多重化した多重放送信号からＰＩコードを優先的に抽出する特別情報抽出部２１と、この特別情報抽出部２１にて抽出したＰＩコード以外のＲＤＳデータを抽出する通常情報抽出部２２と、特別情報抽出部２１にて抽出したＰＩコードを優先的にメモリ７に記憶更新すると共に、このＰＩコードの記憶更新後に、通常情報抽出部２２にて抽出したＲＤＳデータをメモリ７に記憶更新するデータ更新部２３とを有するようにした。【選択図】　図１
2004023542.tif 000002
【特許請求の範囲】
【請求項１】
複数種類の情報データを多重化した多重放送信号を受信する受信手段と、この受信手段にて受信した多重放送信号から前記複数種類の情報データを抽出するデータ抽出手段と、このデータ抽出手段にて抽出した複数種類の情報データを記憶する記憶手段と、前記データ抽出手段にて新たな情報データを抽出すると、この新たに抽出した情報データを前記記憶手段に記憶更新するデータ更新手段とを有する多重放送受信装置であって、
前記データ抽出手段は、
前記多重放送信号の放送帯域内における全多重放送信号から、前記複数種類の情報データに含まれる特別情報データを優先的に抽出する特別情報抽出手段と、前記特別情報抽出手段にて全多重放送信号から特別情報データを抽出した後、前記特別情報データ以外の前記複数種類の情報データを抽出する通常情報抽出手段とを有し、
前記データ更新手段は、
前記特別情報抽出手段にて抽出した特別情報データを優先的に前記記憶手段に記憶更新した後、前記通常情報抽出手段にて抽出した情報データを前記記憶手段に記憶更新することを特徴とする多重放送受信装置。
【請求項２】
前記特別情報データは、
放送番組を識別する番組識別コードであり、
前記データ更新手段は、
前記特別情報抽出手段にて抽出した番組識別コードを優先的に前記記憶手段に記憶更新した後、前記通常情報抽出手段にて抽出した情報データを、前記番組識別コード毎に記憶更新することを特徴とする請求項１記載の多重放送受信装置。
【発明の詳細な説明】
【０００１】
【発明の属する技術分野】
本発明は、例えばラジオデータシステム（以下、単にＲＤＳと称する）放送等の多重放送信号からＲＤＳデータ等の情報データを抽出し、このＲＤＳデータに基づき様々なサービス機能を実現するＲＤＳ放送受信装置等の多重放送受信装置に関する。
【０００２】
【従来の技術】
従来、このような多重放送であるＲＤＳ放送は、番組放送にＲＤＳデータを多重化し、このＲＤＳデータに基づき、受聴者に様々なサービス機能を提供するものである。
【０００３】
ＲＤＳデータは、その内容に応じて０〜１５グループまでの１６種類のグループによって構成されており、これらグループは、第１ブロックから第４ブロックまでの４つのブロックで構成している。また、これら１６種類の各グループは、夫々Ａ，Ｂの２つのバージョンが定義され、これら認識コードは第２ブロックに配置されている。
【０００４】
例えば第１ブロックには、例えば国別コードや放送エリアコード等を示す自ネットワークの番組識別コード（ＰＩコード）が配置され、第２ブロックには、例えば自ネットワークの番組種別コード（ＰＴＹコード）等が配置されており、このＰＴＹコードは、０〜３１の３２種類の番組種別（音楽番組、ニュース番組、スポーツ番組等）を識別するための５ビットのコードであり、予め定められた規約に基づいて番組種別が割り当てられている。
【０００５】
さらに第３ブロックには、同一番組を放送しているネットワーク局群の各局の代替周波数データ（ＡＦリスト）等が配置され、第４ブロックには、放送局名やネットワーク名等の放送局名データ（ＰＳデータ）が配置されている。
【０００６】
また、このようなＲＤＳデータにおいては、交通情報を伝送するＴＭＣデータがある。
【０００７】
このＴＭＣデータは、ＲＤＳデータにおける、例えば８Ａグループを利用して伝送されるものである。図５はＴＭＣデータを伝送するのに使用される８Ａグループのデータフォーマット構成を示す説明図である。
【０００８】
図５において第１ブロックにはＰＩコードが配置され、第２ブロックには、この８Ａグループであることを示す４ビットのグループ識別コードの他に、メッセージの管理及び拡張システムに関する様々なコードが配置されており、例えばショートメッセージであることを示す１ビットのショートメッセージコード（Ｓ）と、一つのメッセージが１グループ又は複数グループに送信されるかを示す１ビットのグループメッセージ識別コード（Ｇ）と、およその渋滞時間を示す３ビットの渋滞時間コード（ＤＰ）とが配置されている。尚、この渋滞時間コードは、８段階の渋滞時間（０〜４時間）を示すために使用されるものである。
【０００９】
また、第３ブロックには、例えば迂回路の有無を示す迂回路識別コード（Ｄ）と、ロケーションオフセットアドレスを含む３ビットのＥＸＴＥＮＴコードと、例えば天候状態、工事、交通渋滞や公共交通機関等といった情報を示す１１ビットのＥＶＥＮＴコードとが配置されている。
【００１０】
また、第４ブロックには、位置情報を示す１６ビットのＬＯＣＡＴＩＯＮコードが配置されている。このＬＯＣＡＴＩＯＮコードには、例えばドイツの場合、１から１６までのアドレスが各州に割り当てられ、これに続いて郡、行政区画や地方自治区、次にアウトバーンや国道等の幹線道路に割り当てられ、それに続いてアウトバーンの出口、立体交差やサービスエリア、次に幹線道路からの道路等といった具合に階層的な順序で各地域や道路の出入口といった特定地点まで細分化されている。尚、ＴＭＣデータ内の各種コードによる拡張システムを利用すれば、交通渋滞に対する迂回路についても適切に指示する様々な情報等を提供することができる。
【００１１】
では、このようなＴＭＣデータ等のＲＤＳデータを受信及び解読するＲＤＳ放送受信装置について説明する。図６はＲＤＳ放送受信装置内部の概略構成を示すブロック図である。
【００１２】
図６に示すＲＤＳ放送受信装置１は、例えばメイン受信系統１０Ａ及びサブ受信系統１０Ｂで構成するダブルチューナ機能を採用し、到来する放送信号を受信する受信アンテナ２と、この受信アンテナ２にて受信した放送信号をメイン受信系統１０Ａ及びサブ受信系統１０Ｂに夫々分配するアンテナ分配器３と、メイン系受信系統１０Ａにて同調させた放送信号を増幅するアンプ４と、このアンプ４にて増幅された放送信号を音声出力するスピーカ５と、様々な情報等を表示する表示部６と、様々な情報等を記憶するメモリ７と、このＲＤＳ放送受信装置１全体を制御するシステムマイコン８とを有している。
【００１３】
メイン受信系統１０Ａは、アンテナ分配器３にて分配された放送信号から任意周波数の放送信号に同調して、この同調した放送信号をアンプ４に出力するメイン用チューナ１１Ａと、任意周波数の放送信号に同調するための同調周波数信号を生成するメイン用ＰＬＬ１２Ａと、メイン用チューナ１１Ａにて同調した放送信号からＲＤＳデータ成分を抽出するメイン用ＢＰＦ１３Ａと、このメイン用ＢＰＦ１３Ａにて抽出したＲＤＳデータを解読するメイン用ＲＤＳデコーダ１４Ａとを有している。
【００１４】
さらに、サブ受信系統１０Ｂは、アンテナ分配器３にて分配された放送信号から任意周波数の放送信号に同調するサブ用チューナ１１Ｂと、任意周波数の放送信号に同調するための同調周波数信号を生成するサブ用ＰＬＬ１２Ｂと、サブ用チューナ１１Ｂにて同調した放送信号からＲＤＳデータ成分を抽出するサブ用ＢＰＦ１３Ｂと、サブ用ＢＰＦ１３Ｂにて抽出したＲＤＳデータを解読するサブ用ＲＤＳデコーダ１４Ｂとを有している。
【００１５】
システムマイコン８では、メイン受信系統１０Ａのメイン用ＲＤＳデコーダ１４Ａ及びサブ受信系統１０Ｂのサブ用ＲＤＳデコーダ１４Ｂにて抽出したＲＤＳデータをメモリ７に記憶し、このメモリ７に記憶した内容に基づいて様々なサービス機能を実現することができる。
【００１６】
このサービス機能としては、例えば番組一覧表示機能、ＰＴＹ割込み機能、ＰＴＹサーチ機能等や、前述したＴＭＣデータに基づく交通情報表示機能があげられる。
【００１７】
例えば番組一覧表示機能とは、例えばＰＩコード及びＰＴＹコードを夫々対応付けて記憶したメモリ７の記憶内容に基づき、どの放送局で、どのような番組種別の放送を行っているのかを表示部６に一覧表示する機能である。
【００１８】
また、ＰＴＹ割込み機能とは、例えばＰＩコード及びＰＴＹコードを夫々対応づけて記憶したメモリ７の記憶内容に基づき、図示せぬ操作部で予め指定した任意のＰＴＹコードと同一のＰＴＹコードを有する放送を検出すると、この検出した同一ＰＴＹコードの放送を割込み受信する機能である。
【００１９】
また、ＰＴＹサーチ機能とは、例えばＰＩコード及びＰＴＹコードを夫々対応づけて記憶したメモリ７の記憶内容に基づき、図示せぬ操作部で予め指定した任意のＰＴＹコードに関わる放送をサーチする機能である。
【００２０】
交通情報表示機能とは、メモリ７の記憶内容（ＴＭＣデータ）に基づき、図示せぬ操作部でユーザ所望時の各所望地点の交通情報を得ることができる機能である。
【００２１】
そこで、システムマイコン８においては、これらサービス機能を実現するためにも、到来する放送信号から最新のＲＤＳデータやＴＭＣデータを抽出し、その抽出した最新のＲＤＳデータやＴＭＣデータをメモリ７に記憶更新する必要がある。
【００２２】
また、メモリ７に記憶更新する最新のＲＤＳデータとしては、例えばＰＩコード、ＰＴＹコード、ＡＦリスト、ＰＳデータ、ＴＭＣデータの有無を示すＴＭＣ判断フラグ及び他のネットワークデータ（Ｏｔｈｅｒ　ＲＤＳ）等があげられる。
【００２３】
システムマイコン８においては、メイン受信系統１０Ａにて所定の放送信号を受信している間は、サブ受信系統１０Ｂにて他の放送信号を受信し、この受信した放送信号から最新のＴＭＣデータを抽出し、この抽出した最新のＴＭＣデータをメモリ７に記憶更新している。
【００２４】
また、システムマイコン８は、ＴＭＣデータを受信する合間を見て、サブ受信系統１０Ｂにて受信可能なＦＭ放送帯域の全放送信号を受信することで、これら放送信号から最新のＲＤＳデータを順次抽出し、この最新のＲＤＳデータをメモリ７に記憶更新している。
【００２５】
このようなＲＤＳ放送受信装置１によれば、ＴＭＣデータを受信する合間を見て、受信可能なＦＭ放送帯域の全放送信号を受信することで、これら放送信号から最新のＲＤＳデータを順次抽出し、この最新のＲＤＳデータをメモリ７に記憶更新するようにしたので、メモリ７の最新の記憶内容に基づき様々なサービス機能を受聴者に提供することができる。
【００２６】
尚、このようなＲＤＳ放送受信装置１においては、受信可能なＦＭ放送帯域の最新のＲＤＳデータを抽出し、これら抽出したＲＤＳデータをメモリ７に記憶更新するようにしたが、ＲＤＳデータ内のデータ毎に抽出時間はまちまちであり、例えばＰＩコードは、ＲＤＳデータの全グループに配置され、このＲＤＳデータからＰＩコード抽出に要する時間は最短８７．６ｍｓｅｃであることから、比較的短時間に抽出することができる。しかし、ＰＳデータは０Ａ又は０ＢのグループのＲＤＳデータのみに配置され、一度の伝送で全８文字中２文字分しか伝送できないことから、その抽出には長時間を要し、同様に、ＴＭＣ判断フラグにおいても、３ＡのグループのＲＤＳデータに配置されることから、その抽出には長時間を要する。
【００２７】
【発明が解決しようとする課題】
しかしながら、上記従来のＲＤＳ放送受信装置１によれば、最新のＲＤＳデータを記憶更新する際には、ＴＭＣデータを受信する合間を見て、受信可能なＦＭ放送帯域の全放送信号を受信することで、これら放送信号から最新のＲＤＳデータを順次抽出し、これら順次抽出した最新のＲＤＳデータをメモリ７に記憶更新するようにしたが、これらＲＤＳデータの内、例えばＰＩコードやＰＴＹコードは比較的短時間に抽出することができるが、ＰＳデータやＴＭＣ判断フラグを抽出するには時間がかかるため、ＴＭＣデータを受信する合間の限られた時間内では、全放送信号からＲＤＳデータを抽出することができず、例えば全ＲＤＳ局を１０局とした場合には３局分のＲＤＳデータしか記憶更新することができないといった事態も考えられる。
【００２８】
このような事態に対処すべく、全ＲＤＳ局から最新のＲＤＳデータを一度に抽出して、これら抽出した最新のＲＤＳデータをメモリ７に記憶更新した後、ＴＭＣデータを受信することも考えられるが、全ＲＤＳ局から最新のＲＤＳデータを記憶更新するには非常に時間がかかることから、その間、ＴＭＣデータを受信することができない。
【００２９】
そこで、本発明は上記点に鑑みてなされたものであり、その目的とするところは、例えばＴＭＣデータを受信する時間を大幅に削ることなく、放送帯域内の全放送信号から必要最小限の情報データを効率よく記憶更新することができる多重放送受信装置を提供することにある。
【００３０】
【課題を解決するための手段】
上記目的を達成するために本発明の多重放送受信装置は、複数種類の情報データを多重化した多重放送信号を受信する受信手段と、この受信手段にて受信した多重放送信号から前記複数種類の情報データを抽出するデータ抽出手段と、このデータ抽出手段にて抽出した複数種類の情報データを記憶する記憶手段と、前記データ抽出手段にて新たな情報データを抽出すると、この新たに抽出した情報データを前記記憶手段に記憶更新するデータ更新手段とを有する多重放送受信装置であって、前記データ抽出手段は、前記多重放送信号の放送帯域内における全多重放送信号から、前記複数種類の情報データに含まれる特別情報データを優先的に抽出する特別情報抽出手段と、前記特別情報抽出手段にて全多重放送信号から特別情報データを抽出した後、前記特別情報データ以外の前記複数種類の情報データを抽出する通常情報抽出手段とを有し、前記データ更新手段は、前記特別情報抽出手段にて抽出した特別情報データを優先的に前記記憶手段に記憶更新した後、前記通常情報抽出手段にて抽出した情報データを前記記憶手段に記憶更新するようにした。
【００３１】
従って、本発明の多重放送受信装置によれば、放送帯域内の全多重放送信号から特別情報データを優先的に抽出して、これら特別情報データを優先的に記憶手段に記憶更新した後、特別情報データ以外の情報データを抽出して、これら特別情報データ以外の情報データを記憶手段に記憶更新するようにした、つまり、全多重放送信号の全情報データを一度に記憶更新するのではなく、情報データの内、必要最小限の情報データである特別情報データを優先的に記憶更新するようにしたので、例えばＴＭＣデータを受信する時間を大幅に削ることなく、放送帯域内の全多重放送信号から必要最小限の情報データを効率よく記憶更新することができる。
【００３２】
本発明の多重放送受信装置は、前記特別情報データが、放送番組を識別する番組識別コードであり、前記データ更新手段は、前記特別情報抽出手段にて抽出した番組識別コードを優先的に前記記憶手段に記憶更新した後、前記通常情報抽出手段にて抽出した情報データを、前記番組識別コード毎に記憶更新するようにした。
【００３３】
従って、本発明の多重放送受信装置によれば、情報データから番組識別コードを優先的に抽出し、この番組識別コードを優先的に記憶手段に記憶更新した後、番組識別コード以外の情報データを抽出し、この情報データを記憶手段に記憶更新するようにした、つまり、全多重放送信号の全情報データを一度に記憶更新するのではなく、一般的に短時間で抽出可能な、しかも、情報データの記憶更新に必要な番組識別コードを優先的に記憶更新するようにしたので、例えばＴＭＣデータを受信する時間を大幅に削ることなく、放送帯域内の全多重放送信号から必要最小限の情報データを効率よく記憶更新することができる。
【００３４】
【発明の実施の形態】
以下、図面に基づいて本発明の多重放送受信装置における実施の形態を示すＲＤＳ放送受信装置について説明する。尚、図６に示すＲＤＳ放送受信装置１と重複する構成については同一符号を付すことで、その重複する構成及び動作の説明については省略する。
【００３５】
本実施の形態を示すＲＤＳ放送受信装置１と図６に示すＲＤＳ放送受信装置１とが異なるところは、システムマイコン８Ａの内部構成にある。
【００３６】
図１は本実施の形態を示すＲＤＳ放送受信装置１の要部であるシステムマイコン８Ａ内部の概略構成を示すブロック図である。
【００３７】
図１に示すシステムマイコン８Ａは、メイン用ＲＤＳデコーダ１４Ａ及びサブ用ＲＤＳデコーダ１４Ｂにて解読したＲＤＳデータからＰＩコードを抽出する特別情報抽出部２１と、メイン用ＲＤＳデコーダ１４Ａ及びサブ用ＲＤＳデコーダ１４Ｂにて解読したＰＩコード以外のＲＤＳデータを抽出する通常情報抽出部２２と、これら特別情報抽出部２１及び通常情報抽出部２２にて抽出したＲＤＳデータをメモリ７に記憶更新するデータ更新部２３とを有している。
【００３８】
尚、ＰＩコード以外のＲＤＳデータとは、ＰＳデータ、ＴＭＣ判断フラグ、ＡＦリスト及び他のネットワークデータ等に相当するものである。
【００３９】
また、通常情報抽出部２２は、当然ながら、ＴＭＣデータ受信時においてはＴＭＣデータを抽出するものである。
【００４０】
図２はデータ更新部２３によるメモリ７の更新内容の一例を端的に示す説明図である。
【００４１】
図２においてメモリ７は、アドレス毎にＰＩコード、ＰＳデータ、ＴＭＣ判断フラグ、ＡＦリスト及び他のネットワークデータを対応づけて記憶している。
【００４２】
例えばＰＩコードがＰＩ−０１とすると、図２（ａ）に示すように、ＰＩコードに対応づけてＰＳデータ（ＰＳ−０１）、ＴＭＣ判断フラグ（ＯＦＦ）、ＡＦリスト（Ｆ−１１，Ｆ１２，Ｆ−１３）、他のネットワークデータ（ＲＤＳ−０１）を記憶している。
【００４３】
このシステムマイコン８Ａにおいては、例えばメイン用受信系統１０Ａにて放送信号を受信している場合、サブ用受信系統１０ＢにおいてはＴＭＣデータを受信し、このＴＭＣデータの受信の合間にＦＭ放送帯域内の全多重放送信号を順次受信して最新のＲＤＳデータを抽出するようにしたが、本実施の形態が示すＲＤＳ放送受信装置１の最大の特徴は、全多重放送信号のＲＤＳデータを一度に抽出するのではなく、これらＲＤＳデータの内、必要不可欠なＰＩコードを優先的に抽出し、この抽出したＰＩコードを優先的にメモリ７に記憶更新した点にある。
【００４４】
尚、請求項記載の受信手段はメイン用チューナ部１１Ａ及びサブ用チューナ部１１Ｂ、データ抽出手段はメイン用ＲＤＳデコーダ１４Ａ及びサブ用ＲＤＳデコーダ１４Ｂ、記憶手段はメモリ７、特別情報抽出手段は特別情報抽出部２１、通常情報抽出手段は通常情報抽出部２２、データ更新手段はデータ更新部２３に相当するものである。
【００４５】
次に本実施の形態を示すＲＤＳ放送受信装置１の動作について説明する。
【００４６】
図３及び図４はＲＤＳデータ更新処理に関わるシステムマイコン８Ａの処理動作を示すフローチャートである。
【００４７】
図３においてシステムマイコン８Ａは、ＴＭＣデータの受信の合間を見て、最後に受信したＦＭ放送帯域内の放送局をラスト局として受信する（ステップＳ１１）。尚、ラスト局は、最後に受信した放送局の受信周波数をメモリ７に予め記憶しているものとする。
【００４８】
システムマイコン８Ａは、受信可能なＦＭ放送帯域の全放送局に対するＲＤＳデータのＰＩコード抽出動作が完了したか否かを判定する（ステップＳ１２）。
【００４９】
システムマイコン８Ａは、全放送局に対するＰＩコード抽出動作が完了したのでなければ、現在受信中の放送局の受信周波数を一つステップアップして（ステップＳ１３）、受信可能なＦＭ放送帯域の次の放送局への受信動作を実行する。
【００５０】
次にシステムマイコン８Ａは、現在受信中の放送局の受信状態が良好であるか否かを判定する（ステップＳ１４）。尚、この判断処理は、例えば受信電界強度に基づいて判断されるものとする。
【００５１】
システムマイコン８Ａは、現在受信中の放送局の受信状態が良好であると判断されると、現在受信中の放送局がＲＤＳ局であると識別するための時間を設定するＲＤＳ局認識タイマをスタートする（ステップＳ１５）。
【００５２】
システムマイコン８Ａは、ＲＤＳ局認識タイマがスタートすると、現在受信中の放送局がＲＤＳ局であると識別されたか否かを判定する（ステップＳ１６）。
【００５３】
システムマイコン８Ａは、現在受信中の放送局がＲＤＳ局であると識別されなければ、ステップＳ１５にてスタートしたＲＤＳ局認識タイマがタイムアップしたか否かを判定する（ステップＳ１７）。
【００５４】
システムマイコン８Ａは、ＲＤＳ局認識タイマがタイムアップしたのでなければ、ステップＳ１６の判断動作を継続し、ＲＤＳ局認識タイマがタイムアップしたのであれば、現在受信中の放送局がＲＤＳ局でないと判断し、ステップＳ１２に移行する。
【００５５】
また、システムマイコン８Ａは、現在受信中の放送局がＲＤＳ局であると識別されると、現在受信中のＲＤＳ局からサブ用ＲＤＳデコーダ１４Ｂを通じてＲＤＳデータを抽出するためのＲＤＳデータ抽出動作を開始する（ステップＳ１８）。
【００５６】
次にシステムマイコン８Ａの特別情報抽出部２１は、ステップＳ１８にてＲＤＳデータ抽出動作を開始すると、優先的にＰＩコードを抽出するためのＰＩコード抽出用タイマをスタートして（ステップＳ１９）、現在受信中のＲＤＳ局のＲＤＳデータからＰＩコードを抽出したか否かを判定する（ステップＳ２０）。
【００５７】
システムマイコン８Ａのデータ更新部２３は、ステップＳ２０にて現在受信中のＲＤＳ局のＲＤＳデータからＰＩコードを抽出したのであれば、ステップＳ１８のＲＤＳデータ抽出動作の開始からステップＳ２０にてＰＩコードが抽出されるまでに抽出したＰＩコード及び、そのＰＩコード以外のＲＤＳデータをメモリ７に記憶更新し（ステップＳ２１）、ステップＳ１２に移行する。
【００５８】
尚、ステップＳ２１のデータ更新部２３による記憶更新は、ステップＳ１８からステップＳ２０までの間で、現在受信中のＲＤＳ局からＰＩコード（ＰＩ−０３）の他にＡＦリスト（Ｆ−３１）が抽出されると、図２（ａ）から図２（ｂ）に示すようにＰＩコード（ＰＩ−０３）に対応づけてＡＦリスト（Ｆ−３１）が記憶更新されることになる。
【００５９】
また、システムマイコン８Ａは、ステップＳ２０にて現在受信中のＲＤＳ局の多重放送信号からＰＩコードを抽出したのでなければ、ステップＳ１９にてスタートしたＰＩコード抽出用タイマがタイムアップしたか否かを判定する（ステップＳ２２）。
【００６０】
システムマイコン８Ａは、ＰＩコード抽出用タイマがタイムアップしたのでなければ、ＰＩコードを抽出したか否かを判定するステップＳ２０に移行するが、ＰＩコード抽出用タイマがタイムアップしたのであれば、ＰＩコードを抽出できなかったものと判断して、このＲＤＳ局からのＲＤＳデータの記憶更新を実行することなく、ステップＳ１２に移行する。
【００６１】
尚、データ更新部２３では、現在受信中のＲＤＳ局のＰＩコードが抽出できない場合、このＰＩコード以外のＲＤＳデータ、例えばＡＦリスト等が抽出されたとしても、この抽出したＡＦリストの更新対象が認識できないことから、ＲＤＳデータの記憶更新は実行しない。また、データ更新部２３は、ＰＩコード抽出用タイマの時間内で、例えばＡＦリスト、ＰＳデータやＴＭＣ判断フラグ等が抽出された後にＰＩコードが抽出された場合には、当然、このＰＩコードに対応づけて、先に抽出したＡＦリスト、ＰＳデータやＴＭＣ判断フラグ等をメモリ７に記憶更新することになる。
【００６２】
また、システムマイコン８Ａは、ステップＳ１２にてＦＭ放送帯域の全放送局に対するＲＤＳデータのＰＩコード抽出動作が完了したのであれば、図４に示すＭ１に移行する。
【００６３】
図４に示すＭ１においてシステムマイコン８Ａは、受信可能なＦＭ放送帯域の全放送局に対して最新のＲＤＳデータを抽出すべく、データ更新用タイマをスタートする（ステップＳ３１）。
【００６４】
システムマイコン８Ａは、データ更新用タイマがタイムアップしたか否かを判定する（ステップＳ３２）。システムマイコン８Ａは、データ更新用タイマがタイムアップしたのでなければ、現在受信中の放送局の受信周波数を一つステップアップして（ステップＳ３３）、受信可能なＦＭ放送帯域の次の放送局への受信動作実行する。
【００６５】
システムマイコン８Ａは、現在受信中の放送局の受信状態が良好であるか否かを判定する（ステップＳ３４）。システムマイコン８Ａは、現在受信中の放送局の受信状態が良好であると判断されると、現在受信中の放送局がＲＤＳ局であると識別するための時間を設定するＲＤＳ局認識タイマをスタートする（ステップＳ３５）。
【００６６】
システムマイコン８Ａは、ＲＤＳ局認識タイマがスタートすると、現在受信中の放送局がＲＤＳ局であると識別されたか否かを判定する（ステップＳ３６）。
【００６７】
システムマイコン８Ａは、現在受信中の放送局がＲＤＳ局であると識別されなければ、ステップＳ３５にてスタートしたＲＤＳ局認識タイマがタイムアップしたか否かを判定する（ステップＳ３７）。
【００６８】
システムマイコン８Ａは、ＲＤＳ局認識タイマがタイムアップしたのでなければ、ステップＳ３６の判断動作を継続し、ＲＤＳ局認識タイマがタイムアップしたのであれば、現在受信中の放送局がＲＤＳ局でないと判断し、ステップＳ３２に移行する。
【００６９】
また、システムマイコン８Ａは、現在受信中の放送局がＲＤＳ局であると識別されると、現在受信中のＲＤＳ局からサブ用ＲＤＳデコーダ１４Ｂを通じてＲＤＳデータを抽出するためのＲＤＳデータ抽出動作を開始する（ステップＳ３８）。
【００７０】
システムマイコン８Ａは、サブ用ＲＤＳデコーダ１４Ｂを通じてＲＤＳデータ抽出動作を開始すると、優先的にＰＩコードを抽出するためのＰＩコード抽出タイマをスタートして（ステップＳ３９）、現在受信中のＲＤＳ局のＲＤＳデータからＰＩコードを抽出したか否かを判定する（ステップＳ４０）。
【００７１】
システムマイコン８Ａは、現在受信中のＲＤＳ局からＰＩコードを抽出したのであれば、このＰＩコード以外のＲＤＳデータ、例えばＡＦリスト、ＴＭＣ判断フラグやＰＳデータを抽出するための詳細データ抽出用タイマをスタートする（ステップＳ４１）。
【００７２】
システムマイコン８Ａは、詳細データ抽出用タイマがスタートすると、現在受信中のＲＤＳ局からＰＩコード以外のＲＤＳデータ、例えばＰＳデータやＴＭＣ判断フラグを抽出することができたか否かを判定する（ステップＳ４２）。
【００７３】
システムマイコン８Ａのデータ更新部２３は、ＰＳデータやＴＭＣ判断フラグ等を抽出することができたのであれば、このＲＤＳデータをＰＩコードに対応づけて最新のＲＤＳデータとしてメモリ７に記憶更新することで（ステップＳ４３）、ステップＳ３２に移行する。
【００７４】
尚、ステップＳ４３のデータ更新部２３による記憶更新は、ステップＳ４２にて現在受信中のＲＤＳ局からＰＩコード（ＰＩ−０３）の他にＰＳデータ（ＰＳ−０３）及びＴＭＣ判断フラグ（ＯＮ）が抽出されたと判断されると、図２（ｂ）から図２（ｃ）に示すようにＰＩコード（ＰＩ−０３）に対応づけてＰＳデータ（ＰＳ−０３）、ＴＭＣ判断フラグ（ＯＮ）が記憶更新されることになる。また、ステップＳ３８のＲＤＳデータ抽出動作開始からステップＳ４２までの動作で他のネットワークデータ（ＲＤＳ−０３）が抽出されると、このＰＩコード（ＰＩ−０３）に対応づけて他のネットワークデータ（ＲＤＳ−０３）が記憶更新されることになる。
【００７５】
また、システムマイコン８Ａは、ステップＳ４０にてＰＩコードを抽出していないと判断されると、ステップＳ３９にてスタートしたＰＩコード抽出用タイマがタイムアップしたか否かを判定する（ステップＳ４４）。システムマイコン８Ａは、ＰＩコード抽出用タイマがタイムアップしたのでなければ、ＰＩコードの抽出を監視すべく、ステップＳ４０に移行し、ＰＩコード抽出用タイマがタイムアップしたのであれば、ステップＳ３２に移行する。
【００７６】
また、システムマイコン８Ａは、ステップＳ４２にてＰＳデータやＴＭＣ判断フラグを抽出していなければ、ステップＳ４１にてスタートした詳細データ抽出用タイマがタイムアップしたか否かを判定する（ステップＳ４５）。システムマイコン８Ａのデータ更新部２３は、詳細データ抽出用タイマがタイムアップしたのでなければ、ＰＳデータやＴＭＣ判断フラグの抽出を監視すべく、ステップＳ４２に移行し、詳細データ抽出用タイマがタイムアップしたのであれば、ステップＳ３８のＲＤＳデータ抽出動作開始からステップＳ４５にて詳細データ抽出用タイマがタイムアップするまでに抽出したＲＤＳデータをＰＩコードに対応づけて記憶更新すべく、ステップＳ４３に移行する。
【００７７】
また、システムマイコン８Ａは、ステップＳ３２にてデータ更新用タイマがタイムアップしたのであれば、現在受信中の放送局をラスト局とし、そのラスト局の受信周波数をラスト周波数としてメモリ７に記憶しておき（ステップＳ４６）、最後に受信したＴＭＣ局のＴＭＣデータの受信動作を開始することで（ステップＳ４７）、この処理動作を終了する。
【００７８】
図３及び図４に示すＲＤＳデータ更新処理によれば、図３に示すステップＳ１２からステップＳ２２までの処理動作にて、受信可能なＦＭ放送帯域の全ＲＤＳ局に対するＲＤＳデータからＰＩコードを優先的に抽出し、これら抽出したＰＩコードをメモリ７に優先的に記憶更新し、さらに、ＲＤＳ局毎のＰＩコードを抽出するまでに抽出できたＲＤＳデータについても併せて記憶更新することができる。
【００７９】
さらにＲＤＳデータ更新処理によれば、図４に示すステップＳ３１からステップＳ４３までの処理動作にて、前述したＰＩコードの記憶更新後に、受信可能なＦＭ放送帯域の全ＲＤＳ局に対するＲＤＳデータからＰＩコードの他に、ＰＩコード以外の最新のＲＤＳデータをメモリ７に記憶更新することができる。
【００８０】
尚、図４に示すステップＳ３２にてデータ更新用タイマがタイムアップすると、最新のＲＤＳデータを記憶更新する処理は終了してＴＭＣデータを受信することになることから、受信可能なＦＭ放送帯域内の全ＲＤＳ局に対するＰＩコード以外のＲＤＳデータの記憶更新は途中で終了してしまう虞があるが、次のＴＭＣデータの受信の合間を見て、前回の途中で終了したＲＤＳ局からＲＤＳデータの記憶更新を実行すべく、再びＲＤＳデータ更新処理を実行するようにしたので、最終的には全ＲＤＳ局の最新のＲＤＳデータをメモリ７に記憶更新することができる。
【００８１】
本実施の形態によれば、受信可能なＦＭ放送帯域内の全ＲＤＳ局からＰＩコードを優先的に抽出して、これらＰＩコードを優先的にメモリ７に記憶更新した後、ＰＩコード以外のＲＤＳデータを抽出して、これらＰＩコード以外のＲＤＳデータをメモリ７に記憶更新するようにした、つまり、全ＲＤＳ局のＲＤＳデータを一度に記憶更新するのではなく、ＲＤＳデータの内、ＲＤＳデータの記憶更新に必要なＰＩコードを優先的に記憶更新するようにしたので、例えばＴＭＣデータを受信する時間を大幅に削ることなく、ＦＭ放送帯域内の全ＲＤＳ局から必要最小限のＲＤＳデータを記憶更新することができる。
【００８２】
尚、上記実施の形態においては、受信可能なＦＭ放送帯域内の全ＲＤＳ局からＰＩコードを優先的にメモリ７に記憶更新するようにしたが、例えばＰＩコードではなく、ＰＴＹコードとしても良い。
【００８３】
【発明の効果】
上記のように構成された本発明の多重放送受信装置によれば、放送帯域内の全多重放送信号から特別情報データを優先的に抽出して、これら特別情報データを優先的に記憶手段に記憶更新した後、特別情報データ以外の情報データを抽出して、これら特別情報データ以外の情報データを記憶手段に記憶更新するようにした、つまり、全多重放送信号の全情報データを一度に記憶更新するのではなく、情報データの内、必要最小限の情報データである特別情報データを優先的に記憶更新するようにしたので、例えばＴＭＣデータを受信する時間を大幅に削ることなく、放送帯域内の全多重放送信号から必要最小限の情報データを効率よく記憶更新することができる。
【００８４】
また、本発明の多重放送受信装置によれば、情報データから番組識別コードを優先的に抽出し、この番組識別コードを優先的に記憶手段に記憶更新した後、番組識別コード以外の情報データを抽出し、この情報データを記憶手段に記憶更新するようにした、つまり、全多重放送信号の全情報データを一度に記憶更新するのではなく、一般的に短時間で抽出可能な、しかも、情報データの記憶更新に必要な番組識別コードを優先的に記憶更新するようにしたので、例えばＴＭＣデータを受信する時間を大幅に削ることなく、放送帯域内の全多重放送信号から必要最小限の情報データを効率よく記憶更新することができる。
【図面の簡単な説明】
【図１】本発明の多重放送受信装置における実施の形態を示すＲＤＳ放送受信装置の要部であるシステムマイコン内部の概略構成を示すブロック図である。
【図２】本実施の形態に関わるデータ更新部によるメモリの更新内容の一例を端的に示す説明図である。
【図３】本実施の形態のＲＤＳデータ更新処理に関わるシステムマイコンの処理動作を示すフローチャートである。
【図４】本実施の形態のＲＤＳデータ更新処理に関わるシステムマイコンの処理動作を示すフローチャートである。
【図５】ＴＭＣデータを伝送するのに使用される８ＡグループのＲＤＳデータのデータフォーマット構成を示す説明図である。
【図６】一般的な多重放送受信装置であるＲＤＳ放送受信装置内部の概略構成を示すブロック図である。
【符号の説明】
１　　ＲＤＳ放送受信装置（多重放送受信装置）
７　　メモリ（記憶手段）
１１Ａ　メイン用チューナ部（受信手段）
１１Ｂ　サブ用チューナ部（受信手段）
１４Ａ　メイン用ＲＤＳデコーダ（データ抽出手段）
１４Ｂ　サブ用ＲＤＳデコーダ（データ抽出手段）
２１　　特別情報抽出部（特別情報抽出手段）
２２　　通常情報抽出部（通常情報抽出手段）
２３　　データ更新部（データ更新手段）
【図１】
2004023542.tif 000003
【図２】
2004023542.tif 000004
【図３】
2004023542.tif 000005
【図４】
2004023542.tif 000006
【図５】
2004023542.tif 000007
【図６】
2004023542.tif 000008